(57)【要約】      （修正有）【課題】陳列している商品の在庫が少なくなっても顧客吸引力が低下することがなく、かつ商品の在庫がなくなったとしても陳列していた商品を顧客が容易に把握できる商品陳列用什器を提供する。【解決手段】同一の商品１を少なくとも奥行き方向又は高さ方向に複数陳列可能な箱本体を備える商品陳列用什器１００であって、前記商品１が複数陳列された状態の図柄が、前記箱本体１０の内側面に付して商品陳列用什器１００を構成する。【選択図】図１
0003155039.tif 000002
【実用新案登録請求の範囲】
【請求項１】
同一の商品を少なくとも奥行き方向又は高さ方向に複数陳列可能な箱本体を備える商品陳列用什器であって、前記商品が複数陳列された状態の図柄が、前記箱本体の内側面に付されていることを特徴とする商品陳列用什器。
【請求項２】
前記箱本体は、少なくとも底部、奥部及び側部を有し、
前記箱本体の底部の内側面には、複数陳列された状態の前記商品を上方から見た図柄が付されており、
前記箱本体の奥部の内側面には、複数陳列された状態の前記商品を正面から見た図柄が付されており、
前記箱本体の側部の内側面には、複数陳列された状態の前記商品を側方から見た図柄が付されている請求項１に記載の商品陳列用什器。
【請求項３】
さらに、前記箱本体の側部の外側面に、複数陳列された状態の前記商品を側方から見た図柄が付されている請求項２に記載の商品陳列用什器。
【請求項４】
前記箱本体内に、奥行き方向前後に移動可能に収容される仕切棚をさらに備え、
前記商品が陳列された状態の図柄が、少なくとも前記仕切棚の奥行き方向前方を向く面に付されている請求項１乃至３に記載の商品陳列用什器。
【請求項５】
前記仕切棚は、
少なくとも、箱本体の底部、奥部及び側部にそれぞれ対向して配置される底部、奥部及び側部を有し、
前記仕切棚の底部の内側面には、複数陳列された状態の前記商品を上方から見た図柄が付されており、
前記仕切棚の奥部の内側面には、複数陳列された状態の前記商品を正面から見た図柄が付されており、
前記仕切棚の側部の内側面には、複数陳列された状態の前記商品を側方から見た図柄が付されている請求項４に記載の商品陳列用什器。
【請求項６】
前記仕切棚の底部の奥行き方向前方には、前記仕切棚の奥部を奥行き方向前後に移動させるための引手部が形成されている請求項５に記載の商品陳列用什器。
【請求項７】
前記陳列される商品は、略直方体形状または略立方体形状である請求項１乃至６に記載の商品陳列用什器。
【考案の詳細な説明】
【技術分野】
【０００１】
本考案は、商品陳列用什器に関するものである。
【背景技術】
【０００２】
スーパーマーケットやコンビニエンスストア等の商業スペースにおいて、商品の陳列方法は、商品の売上を左右する重要な要素の一つである。そのため、商品の陳列にあたっては、顧客にとって商品が見やすくかつとりやすいよう様々な工夫がなされている。
【０００３】
例えば、特許文献１においては、商品が常に前方に並び豊富な在庫が存在するかのように顧客に思わせるために、奥に残った商品をバネの反発力を用いて自動的に押し出すことのできる商品前出し陳列用什器が提案されている。
【先行技術文献】
【特許文献】
【０００４】
【特許文献１】特開２００９−１１２７１３号公報
【考案の概要】
【考案が解決しようとする課題】
【０００５】
しかしながら、上記従来の陳列方法では、たとえ奥に残った商品を前に押し出したとしても、商品の絶対数が少なくなれば、また顧客の商品の取り方次第では、陳列スペースの前方であっても商品がない箇所ができてしまう。この場合、陳列スペースのボリューム感が減少してしまうので、陳列スペースの顧客吸引力（顧客の目の引きやすさ）も低下してしまう。また、陳列スペースの商品がすべて売り切れてしまった場合には、陳列スペースにどの商品が陳列されていたのか顧客が把握できなくなってしまう。
【０００６】
そこで、本考案は、上記従来技術の課題に鑑みてなされたものであり、陳列している商品の在庫が少なくなっても顧客吸引力が低下することがなく、かつ商品の在庫がなくなったとしても陳列していた商品を顧客が容易に把握できる商品陳列用什器を提供することを目的とする。
【課題を解決するための手段】
【０００７】
本考案においては、上記課題を解決するために、以下の手段を採用した。すなわち、同一の商品を少なくとも奥行き方向又は高さ方向に複数陳列可能な箱本体を備える商品陳列用什器であって、前記商品が複数陳列された状態の図柄が、前記箱本体の内側面に付されていることを特徴とする商品陳列用什器を構成する。
【０００８】
上記構成によれば、陳列している商品の在庫が少なくなっても、箱本体の内側面には、商品が複数陳列された状態の図柄が付されているので、商品のボリューム感が作出され、商品在庫が豊富にあるかのように顧客に思わせることができる。すなわち、商品の在庫が少なくなっても顧客吸引力が低下することはない。また、箱本体内に陳列される商品がなくなっても、当該図柄により、陳列していた商品を顧客が容易に把握することができる。
【０００９】
尚、本考案において「図柄」とは、例えば、文字、記号、図形、模様、色彩及びこれらの組み合わせ等を含む。
【００１０】
また、本考案においては、前記箱本体は、少なくとも底部、奥部及び側部を有し、前記箱本体の底部の内側面には、複数陳列された状態の前記商品を上方から見た図柄が付されており、前記箱本体の奥部の内側面には、複数陳列された状態の前記商品を正面から見た図柄が付されており、前記箱本体の側部の内側面には、複数陳列された状態の前記商品を側方から見た図柄が付されているようにしてもよい。
【００１１】
上記構成によれば、箱本体の底部、奥部及び側部の内側面にそれぞれ付された図柄により、箱本体の底部、奥部及び側部にさらに商品があるかのように顧客に思わせることができる。
【００１２】
また、本考案においては、さらに、前記箱本体の側部の外側面に、複数陳列された状態の前記商品を側方から見た図柄が付されているようにしてもよい。
【００１３】
上記構成によれば、箱本体の側部の外側面に付された図柄により、商品の在庫があってもなくても箱本体の側方から見れば、商品があるかのように見える。これにより、商品陳列用什器の側面に位置する顧客の注意を引くことができる。
【００１４】
また、本考案においては、前記箱本体内に、奥行き方向前後に移動可能に収容される仕切棚をさらに備え、前記商品が陳列された状態の図柄が、少なくとも前記仕切棚の奥行き方向前方を向く面に付されているようにしてもよい。
【００１５】
上記構成によれば、商品在庫が少なくった際に仕切り棚を奥行き方向前方に移動させることにより、残った商品を前に引き出すことができる。このとき、仕切棚に付された商品が陳列された状態の図柄も仕切棚の移動とともに前に引き出されてくるので、商品のボリューム感を作出することができ、商品在庫が豊富にあるかのように顧客に思わせることができる。
【００１６】
また、本考案において、前記仕切棚は、少なくとも、箱本体の底部、奥部及び側部にそれぞれ対向して配置される底部、奥部及び側部を有し、前記仕切棚の底部の内側面には、複数陳列された状態の前記商品を上方から見た図柄が付されており、前記仕切棚の奥部の内側面には、複数陳列された状態の前記商品を正面から見た図柄が付されており、前記仕切棚の側部の内側面には、複数陳列された状態の前記商品を側方から見た図柄が付されているようにしてもよい。
【００１７】
上記構成によれば、仕切板の底部、奥部及び側部の内側面にそれぞれ付された図柄により、仕切棚の底部、奥部及び側部にさらに商品があるかのように顧客に思わせることができる。
【００１８】
また、本考案において、前記仕切棚の底部の奥行き方向前方には、前記仕切棚の奥部を奥行き方向前後に移動させるための引手部が形成されているようにしてもよい。
【００１９】
上記構成によれば、引手部により仕切棚を奥行き方向前方に引き出すことが容易になると共に、商品を仕切棚の底部に載置し、引手部を奥行き方向後方に押し込むことで、商品を容易に奥行き方向後方に補充することができる。
【００２０】
また上記考案において、前記陳列される商品は、略直方体形状または略立方体形状であるようにしてもよい。
【００２１】
商品が略直方体形状または略立方体形状であれば、箱本体に隙間なく陳列でき、言い換えれば、商品が陳列された状態の図柄も箱本体の内側面に隙間なく付される。これにより、さらに商品のボリューム感を作出できる。
【考案の効果】
【００２２】
本考案によれば、陳列している商品の在庫が少なくなっても顧客吸引力が低下することがなく、かつ商品の在庫がなくなったとしても陳列していた商品を顧客が容易に把握できる商品陳列用什器を提供することができる。
【図面の簡単な説明】
【００２３】
【図１】（Ａ）は、本発明の第１の実施形態に係る商品陳列用什器に陳列される商品の斜視図であり、（Ｂ）は同商品陳列用什器の斜視図である。
【図２】（Ａ）は、本発明の第２の実施形態に係る商品陳列用什器の仕切棚を押し込んだ状態の斜視図であり、（Ｂ）は同仕切棚を引き出した状態の斜視図である。
【図３】本発明の第２の実施形態に係る商品陳列用什器に仕切棚を収容する前の状態を示す斜視図である。
【考案を実施するための形態】
【００２４】
以下、図面を参照して、本考案の実施の形態に係る商品陳列用什器について説明する。尚、各図面において、同一の構成要素には可能な限り同一の符号を付して、重複する説明は省略する。
【００２５】
（第1の実施形態）
はじめに、図１を用いて、本発明の第１の実施形態にかかる商品陳列用什器１００について説明する。ここで、図１（Ａ）は、本発明の第１の実施形態に係る商品陳列用什器１００に陳列される商品１の斜視図であり、（Ｂ）は同商品陳列用什器１００の斜視図である。
【００２６】
図１（Ａ）に示すように、陳列対象となる商品１は、略直方体形状であり６つの面を有している。同図に示すように、商品１の正面１ａには「ＡＢＣ」の図柄が付され、商品１の上面１ｂには「ＤＥＦ」の図柄が付され、商品１の一方の側部１ｃには、図柄「Ｇ」が付され、他方の側部１ｄには図柄「Ｈ」が付されている。これら図柄には、複数の色彩が用いられていてもよい。
【００２７】
図１（Ｂ）に示すように、商品陳列用什器１００は、箱本体１０から構成されている。箱本体１０は、略直方体の筺体の上面及び正面を取り除いた形状を有し、奥部１０ａ、底部１０ｂ及び２つの側部１０ｃ、１０ｄを備えている。箱本体１０は、これら奥部１０ａ、底部１０ｂ及び２つの側部１０ｃ、１０ｄにより区画される空間内に、商品１を所定数陳列するようになっている。具体的には、商品１を奥行き方向に１０列及び高さ方向に４段並べて、計４０個を隙間なく重ねて陳列するようになっている。尚、箱本体１０の材質は陳列した商品１を安定して保持できかつ後述する商品１の図柄を好適に付すことができれば、例えば、厚紙、プラスチック、金属等特に材質に限定はない。また例えば、顧客の目をより引きやすくするために、箱本体１０の材質を商品１と同じ材質にしてもよい。
【００２８】
図１（Ｂ）に示すように、箱本体１０には、商品１を所定数陳列した状態と同一の図柄が付されている。具体的には以下のとおりである。
【００２９】
奥部１０ａの内側面には、商品１の正面１ａと同一の図柄「ＡＢＣ」が高さ方向に４段にわたって計４個付されている。言い換えれば、奥部１０ａの内側面には、高さ方向に４段陳列された商品１を正面（正面１ａの側）から見た場合の図柄が形成されている。
【００３０】
底部１０ｂの内側面には、商品１の上面１ｂと同一の図柄「ＤＥＦ」が奥行き方向に１０列にわたって計１０個付されている。言い換えれば、底部１０ｂの内側面には、奥行き方向に１０列陳列された商品１を、上方（上面１ｂの側）から見た場合の図柄が形成されている。
【００３１】
一方の側部１０ｃの外側面及び内側面（図示せず）には、商品１の一方の側部１ｃと同一の図柄「Ｇ」が高さ方向に４段、奥行き方向に１０列にわたってそれぞれ計４０個付されている。言い換えれば、一方の側部１０ｃの外側面及び内側面（図示せず）には、高さ方向に４段、奥行き方向に１０列陳列された商品１を、側方（側部１ｃの側）から見た場合の図柄が形成されている。
【００３２】
他方の側部１０ｄの外側面（図示せず）及び内側面には、商品１の一方の側部１ｄと同一の図柄「Ｈ」が高さ方向に４段、奥行き方向に１０列にわたってそれぞれ計４０個付されている。言い換えれば、他方の側部１０ｄの外側面（図示せず）及び内側面には、高さ方向に４段、奥行き方向に１０列陳列された商品１を側方（側部１ｄの側）から見た場合の図柄が形成されている。
【００３３】
この構成により、陳列している商品の在庫がない状態（図１（Ｂ）の状態）であっても、箱本体１０に付された上記図柄「ＡＢＣ」、「ＤＥＦ」、「Ｇ」、「Ｈ」に基づいて、陳列していた商品を顧客が容易に把握することができる。
【００３４】
また、商品１を所定数（４０個）陳列した後、商品在庫が少なくなり、箱本体１０の内側面が露出した状態であっても、箱本体１０の奥部１０ａ、底部１０ｂ及び側部１０ｃ、１０ｄの内側面にそれぞれ付された図柄により、これら奥部１０ａ、底部１０ｂ及び側部１０ｃ、１０ｄにさらに商品があるかのように顧客に思わせることができる。これにより、商品１のボリューム感が作出され、商品１の在庫が豊富にあるかのように顧客に思わせることができる。すなわち、商品１の在庫が少なくなっても顧客吸引力が低下することはない。
【００３５】
さらに、箱本体１０の側部１０ｃまたは１０ｄの外側面に付された図柄により、商品１の在庫があってもなくても箱本体１０の側部１０ｃまたは１０ｄから見れば、商品１があるかのように見える。これにより、商品陳列用什器１００の側方に位置する顧客の注意を引くことができる。
【００３６】
尚、上述した効果を得るためには、商品１の図柄を、その色彩も含めて箱本体１０に複写することがより好ましい。但し、商品１が欠品であることを明示的に示す場合等に、あえて商品１の図柄に用いられるものとは異なる色彩（たとえば白黒のみ）を箱本体１０に付される図柄に用いてもよい。
【００３７】
（第２の実施形態）
次に図２及び図３を用いて、本考案の第２の実施形態に係る商品陳列用什器２００について説明する。ここで、図２（Ａ）は、本発明の第２の実施形態にかかる商品陳列用什器２００の仕切棚２０を押し込んだ状態の斜視図であり、（Ｂ）は同仕切棚２０を引き出した状態の斜視図である。また、図３は、本発明の第２の実施形態に係る商品陳列用什器２００に仕切棚２０を収容する前の状態を示す斜視図である。
【００３８】
第１の実施形態に係る商品陳列用什器１００との相違点は、商品陳列用什器２００が仕切棚２０をさらに有することであり、以下はこの相違点を中心に説明し、同一の構成である箱本体１０についての説明は省略する。
【００３９】
図２及び図３に示すように、商品陳列用什器２００は、箱本体１０と、仕切棚２０とを備えている。仕切棚２０は、箱本体１０内に、奥行き方向前後に移動可能に収容されている（図２（Ａ）及び（Ｂ）参照）。仕切棚２０は、奥部２０ａ、底部２０ｂ及び一対の側部２０ｃ、２０ｄを有しており、それぞれ、箱本体１０の奥部１０ａ、底部１０ｂ、側部１０ｃ、１０ｄと対向するように箱本体１０に収容される（図３参照）。仕切棚２０の材質には特に限定はないが、箱本体１０との境目がわからないようにするために、箱本体１０の材質と同一にすることが好ましい。
【００４０】
図２及び図３に示すように、仕切棚２０の奥部２０ａは、箱本体１０の奥部１０ａと略同一形状である。仕切棚２０の底部２０ｂは、合計６列分の商品１を載置可能に形成されており、後端部分（商品１の４列分）に比べて幅細になっている奥行き方向前方の先端部分（商品１の２列分）には、半月状及び円弧状にそれぞれくりぬかれた引手部２２ａ、２２ｂが形成されている。仕切棚２０の側部２０ｃ及び２０ｄは、正三角形状である。仕切棚２０の奥部２０ａ、底部２０ｂ及び一対の側部２０ｃ、２０ｄの内側面には、箱本体１０の内側面と同様に、商品１が陳列された状態の図柄がそれぞれ付されている。このとき、例えば図２（Ａ）の箱本体１０の側部１０ｄ及び仕切棚の側部２０ｄの境目部分に示すように、箱本体１０と仕切棚２０との境目の図柄は連続しており、箱本体１０と仕切棚２０に付された図柄が一体となって商品１が陳列された状態の図柄が形成されている。
【００４１】
この構成により、陳列している商品の在庫がない状態（図２（Ａ）及び（Ｂ）の状態）であっても、箱本体１０及び仕切棚２０に付された図柄「ＡＢＣ」、「ＤＥＦ」、「Ｇ」、「Ｈ」に基づいて、陳列していた商品を顧客が容易に把握することができる。
【００４２】
また、商品１の在庫が少なくった際に、仕切棚２０の引手部２２ａ、２２ｂを掴んで奥行き方向前方に移動させることにより、残った商品１を前方に引き出すことができる。このとき、仕切棚２０の移動とともに、仕切棚２０とりわけ奥部２０ａの内側面（奥行き方向前方を向く面）に付された商品１が陳列された状態の図柄が奥行き方向前方に移動してくるので、単に商品が前に出てきた場合に比べて、商品１のボリューム感を作出することができ、商品在庫が豊富にあるかのように顧客に思わせることができる。また、商品１を仕切棚２０の底部２０ｂに載置し、引手部２２ａ、２２ｂを掴んで奥行き方向後方に押し込むことで、商品１を容易に奥行き方向後方まで補充することができる。
【００４３】
（変形例）
以上本考案の実施形態を示したが、本発明はこの実施の形態に限定されるものではなく、その要旨を逸脱しない範囲内において様々な態様での実施が可能である。
【００４４】
例えば、本実施の形態１及び２においては、商品１の図柄を「ＡＢＣ」等としたが、これに限られず、文字、記号、図形、模様、色彩及びこれらの組み合わせ等様々な図柄であってもかまわない。また、本実施の形態１及び２においては、箱本体１０の形状を、商品１を４段、１０列の計４０個陳列するのに適した形状としたが、これに限らず、例えば、商品１をさらに幅方向に２列にわたって配列し、計８０個陳列するのに適した形状とする等、商品１の形状及び陳列数にあわせてさまざまな形状が可能である。
【符号の説明】
【００４５】
１……商品、１ａ……商品の正面、１ｂ……商品の上面、１ｃ、１ｄ……商品の側部、１０……箱本体、１０ａ……箱本体の奥部、１０ｂ……箱本体の底部、１０ｃ、１０ｄ……箱本体の側部、２０……仕切棚、２０ａ……仕切棚の奥部、２０ｂ……仕切棚の底部、２０ｃ、２０ｄ……仕切棚の側部、２２ａ、２２ｂ……引手部、１００、２００……商品陳列用什器
【図１】
0003155039.tif 000003
【図２】
0003155039.tif 000004
【図３】
0003155039.tif 000005
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
同一の商品を少なくとも奥行き方向又は高さ方向に複数陳列可能な箱本体を備える商品陳列用什器であって、前記商品が複数陳列された状態の図柄が、前記箱本体の内側面に付されていることを特徴とする商品陳列用什器。
【請求項２】
前記箱本体は、少なくとも底部、奥部及び側部を有し、
前記箱本体の底部の内側面には、複数陳列された状態の前記商品を上方から見た図柄が付されており、
前記箱本体の奥部の内側面には、複数陳列された状態の前記商品を正面から見た図柄が付されており、
前記箱本体の側部の内側面には、複数陳列された状態の前記商品を側方から見た図柄が付されている請求項１に記載の商品陳列用什器。
【請求項３】
さらに、前記箱本体の側部の外側面に、複数陳列された状態の前記商品を側方から見た図柄が付されている請求項２に記載の商品陳列用什器。
【請求項４】
前記箱本体内に、奥行き方向前後に移動可能に収容される仕切棚をさらに備え、
前記商品が陳列された状態の図柄が、少なくとも前記仕切棚の奥行き方向前方を向く面に付されている請求項１乃至３のいずれか一項に記載の商品陳列用什器。
【請求項５】
前記仕切棚は、
少なくとも、箱本体の底部、奥部及び側部にそれぞれ対向して配置される底部、奥部及び側部を有し、
前記仕切棚の底部の内側面には、複数陳列された状態の前記商品を上方から見た図柄が付されており、
前記仕切棚の奥部の内側面には、複数陳列された状態の前記商品を正面から見た図柄が付されており、
前記仕切棚の側部の内側面には、複数陳列された状態の前記商品を側方から見た図柄が付されている請求項４に記載の商品陳列用什器。
【請求項６】
前記仕切棚の底部の奥行き方向前方には、前記仕切棚の奥部を奥行き方向前後に移動させるための引手部が形成されている請求項５に記載の商品陳列用什器。
【請求項７】
前記陳列される商品は、略直方体形状または略立方体形状である請求項１乃至６のいずれか一項に記載の商品陳列用什器。